(57)【要約】【課題】各種機能の処理状態あるいは設定状態を音により報知する場合に、確実に利用者がその音を認識することができるタイミングで報知することができるという効果を有する携帯端末装置を提供する。【解決手段】決定キー押下検知部１０１が決定キーが押下されたことを検知した時点で、各種イベント検知部１０２が情報処理装置１００の状態情報、例えば、電池残量、電波状況、不在着信履歴、メール着信等を検知する。状態通知音選択／生成部１０３が各種イベント検知部１０２より検知された状態情報に応じて、準備された音声ファイルの中より任意のファイルを選択し、通知音を生成する。エフェクト処理部１０４が状態通知音選択／生成部１０３で生成された通知音に対してエフェクトを付与する処理を行い、出力部１０５が通知音を出力する。【選択図】図１
2007318653.tif 000002
【特許請求の範囲】
【請求項１】
操作部と、
音出力する音出力部と、
装置本体の１つの状態を第１の状態情報として検出する検出部と、を備え、
前記音出力部は、前記操作部によって入力操作を受け付けると、前記検出部にて検出した第１の状態情報に対応する第１の鳴音として音出力する、
情報処理装置。
【請求項２】
請求項１記載の情報処理装置であって、
前記音出力部は、前記検出部にて検出した第１の状態情報に対応するエフェクト処理が施された前記第１の鳴音として音出力する、
情報処理装置。
【請求項３】
請求項２記載の情報処理装置であって、
前記音出力部は、前記操作部によって受け付けた入力操作に対応する第２の鳴音を音出力するものであって、前記操作部によって入力操作を受け付けると、前記検出部にて検出した第１の状態情報に対応するエフェクト処理が施された第２の鳴音として音出力する、
情報処理装置。
【請求項４】
請求項１記載の情報処理装置であって、
前記音出力部は、前記操作部によって受け付けた入力操作に対応する第２の鳴音を音出力するものであって、前記操作部によって入力操作を受け付けると、前記検出部にて検出した第２の状態情報に対応する第１の鳴音と当該入力操作に対応する第２の鳴音とを音出力する、
情報処理装置。
【請求項５】
請求項４記載の情報処理装置であって、
前記音出力部は、前記操作部によって入力操作を受け付けると、当該操作により選択された対応する機能を報知する第３の鳴音と、前記検出部にて検出した第２の状態情報に対応する前記第１の鳴音と、を音出力する、
情報処理装置。
【請求項６】
請求項４または５記載の情報処理装置であって、
前記音出力部は、さらに、前記操作部によって入力操作を受け付けると、当該操作に対応する動作を報知する第４の鳴音と、前記検出部にて検出した第２の状態情報に対応する前記第１の鳴音と、を音出力する、
情報処理装置。
【請求項７】
請求項４記載の情報処理装置であって、
前記音出力部は、前記操作部によって入力操作を受け付けると、前記検出部にて検出した第２の状態情報に対応する第１の鳴音と当該入力操作に対応する第２の鳴音とを同時に音出力する、
情報処理装置。
【請求項８】
請求項４記載の情報処理装置であって、
前記音出力部は、前記操作部によって入力操作を受け付けると、前記検出部にて検出した第２の状態情報に対応する第１の鳴音と当該入力操作に対応する第２の鳴音とを連続して音出力する、
情報処理装置。
【発明の詳細な説明】
【技術分野】
【０００１】
本発明は、電池残量・電波受信状態などの状態検出情報や、不在時の電話着信の有無・未読の電子メールの有無などの履歴情報や、アラーム機能の有無・マナーモードのオンオフなどの機能設定情報、などのある機能の利用状態を示す状態情報を音により報知する情報処理装置に関する。
【背景技術】
【０００２】
これまでの携帯端末装置は、装置に備わる電池の電池残量状態を表すマークや装置による無線電波の受信状態を表すマークをディスプレイに表示させることにより、装置利用者にこれらの状態を通知するものがほとんどであった。現在では、音により装置利用者にこれらの状態を報知する携帯端末装置が提案されている（特許文献１、２、３、４）。特に、音楽再生機能や映像再生機能を搭載されるようになった近年の携帯端末装置は、ディスプレイに表示されたマークにより上述の状態を通知する構成では、音楽再生中には装置利用者がディスプレイを見ている期間はほとんどないため上述の状態を装置利用者に確認させることができず、また映像再生中にはディスプレイにはそもそもマークを表示させないため上述の状態を装置利用者に視認させることができない。このため、音により装置利用者に上述の状態を報知する携帯端末装置に関心が注がれている。
【特許文献１】特開平９−０８３４２６号公報
【特許文献２】特開２００２−０５１１２２号公報
【特許文献３】特開２００２−１９１１２８号公報
【特許文献４】特開２００２−０５７６１９号公報
【発明の開示】
【発明が解決しようとする課題】
【０００３】
特許文献１の電池残量通報装置は、充電器から取り外されたときに、電池残量通報装置に備わる電池残量を検出し、その電池残量に応じた鳴音により報知するものである。また、特許文献２の電池残量報知装置は、電池残量報知装置に備わる電池残量を定期的に検出しており、その電池残量が所定の閾値を下回った後に報知を行うときには、その電池残量が所定の閾値を上回っているときの報知音とは異なる報知音によって報知するものである。また、特許文献３の残量報知方法は、電話着信時に、電池残量報知装置に備わる電池残量を検出し、その電池残量に応じた鳴音により報知するものである。また、特許文献４の携帯電話機は、受信電波の電界強度を定期的に検出しており、その電界強度に応じて当該携帯電話機が無線通信可能なサービスエリアの圏外あるいは圏内にいるかなどをアラーム音により報知するものである。
【０００４】
しかしながら、特許文献１から４記載の装置は、装置利用者にとって好ましいタイミングでその報知がなされるとは限らない。すなわち、特許文献１では、装置利用者は、充電器に装置を装着した時点で装置の電池残量が少ないことを既に認識しており、装置を取り外すときに電池残量が少ないことを報知されることによって再度電池残量が少ないことを認識しても、効果は薄い。また、特許文献２、３、４では、装置利用者が装置からの報知音を聞き取ることができる範囲にいないときに当該装置が報知する場合も考えられるため、装置利用者は報知を聞き逃す恐れがある。また、携帯端末装置本体にイヤホンを装着して音楽などを聴くような場合において、携帯端末装置本体をカバンや衣服のポケットに入れたまま利用することが多い。こういった場合、端末本体の状態を把握したり、所望の機能について操作することは困難である。
【０００５】
本発明は、上記事情に鑑みてなされたもので、各種機能の処理状態あるいは設定状態を音により報知する場合に、確実に利用者がその音を認識することができるタイミングで報知することができる情報処理装置を提供することを目的とする。
【課題を解決するための手段】
【０００６】
本発明の情報処理端末装置は、操作部と、音出力する音出力部と、装置本体の１つの状態を第１の状態情報として検出する検出部と、を備え、前記音出力部が、前記操作部によって入力操作を受け付けると、前記検出部にて検出した第１の状態情報に対応する第１の鳴音として音出力する、ものである。
【０００７】
この構成により、各種機能の処理状態あるいは設定状態を音により報知する場合に、確実に利用者がその音を認識することができるタイミングで報知することができる。
【０００８】
また、本発明の情報処理端末は、前記音出力部が、前記第１の状態情報に対応するエフェクト処理が施された前記第１の鳴音として音出力する、ものを含む。
【０００９】
この構成により、状態情報を報知するための専用の報知音を新たに出力する必要がなくても音により状態情報を報知することができる。
【００１０】
また、本発明の情報処理装置は、前記音出力部が、前記操作部によって受け付けた入力操作に対応する第２の鳴音を音出力するものであって、前記操作部によって入力操作を受け付けると、前記検出部にて検出した第１の状態情報に対応するエフェクト処理が施された第２の鳴音として音出力する、ものを含む。
【００１１】
この構成により、入力操作時に報知される効果音によって状態情報を通知することができるため、状態情報を報知するための専用の報知音を新たに出力する必要がなく、かつ確実に状態情報を利用者が認識できるタイミングで状態情報を報知することができる。
【００１２】
また、本発明の情報処理端末は、前記音出力部が、前記操作部によって受け付けた入力操作に対応する第２の鳴音を音出力するものであって、前記操作部によって入力操作を受け付けると、前記検出部にて検出した第２の状態情報に対応する第１の鳴音と当該入力操作に対応する第２の鳴音とを音出力する、ものを含む。
【００１３】
この構成により、確実に状態情報を利用者が認識できるタイミングで状態情報を報知することができる。
【００１４】
また、本発明の情報処理端末は、前記音出力部が、前記操作部によって入力操作を受け付けると、当該操作により選択された対応する機能を報知する第３の鳴音と、前記検出部にて第２の状態情報に対応する前記第１の鳴音と、を音出力する、ものを含む。
【００１５】
この構成により、操作頻度の多い入力操作が行われたときに状態情報を報知することができるため、利用者は絶えずかつ確実に状態情報を利用者が認識できるタイミングで状態情報を報知することができる。
【００１６】
また、本発明の情報処理装置は、前記音出力部が、さらに、前記操作部によって入力操作を受け付けると、当該操作に対応する動作を報知する第４の鳴音と、前記検出部にて検出した第２の状態情報に対応する前記第１の鳴音と、を音出力する、ものを含む。
【００１７】
この構成により、操作頻度の多い入力操作が行われたときに状態情報を報知することができるため、利用者は絶えずかつ確実に状態情報を利用者が認識できるタイミングで状態情報を報知することができる。
【００１８】
また、本発明の情報処理装置は、前記音出力部が、前記操作部によって入力操作を受け付けると、前記検出部にて検出した第２の状態情報に対応する第１の鳴音と当該入力操作に対応する第２の鳴音とを同時に音出力する、ものを含む。
【００１９】
この構成により、複数の状態情報に対応する報知音を一度に出力することができる。
【００２０】
また、本発明の情報処理装置は、前記音出力部が、前記操作部によって入力操作を受け付けると、前記検出部にて検出した第２の状態情報に対応する第１の鳴音と当該入力操作に対応する第２の鳴音とを連続して音出力する、ものを含む。
【００２１】
この構成により、利用者は第１の鳴音と第２の鳴音の識別が容易になる。
【発明の効果】
【００２２】
本発明は、各種機能の処理状態あるいは設定状態を音により報知する場合に、確実に利用者がその音を認識することができるタイミングで報知することができるという効果を有する携帯端末装置を提供することができるものである。
【発明を実施するための最良の形態】
【００２３】
以下、本発明の実施形態の情報処理装置について、図面を用いて説明する。
図１は、本発明の実施形態の情報処理装置の基本構成を示す図である。図２は、情報処理装置の決定キーの例を示す図である。以下、図１及び図２を用いて本発明の概要を説明する。
【００２４】
情報処理装置１００の利用者が図２に示す操作部の決定キー２０１を押下した時点で、決定キー押下検知部１０１がその決定キーが押下されたことを検知し、各種イベント検知部１０２へ通知信号を送出する。各種イベント検知部１０２がその通知信号を受け取ると、情報処理装置１００の状態情報の種別（例えば、電池残量、電波状況、不在着信履歴、メール着信等）と、その状態情報のステータス（例えば、状態情報の種別が電池残量であれば全電池容量の何％残っているかや、状態情報の種別が電波状況であれば受信電界強度がどの程度の大きさであるかや、状態情報の種別が不在着信履歴またはメール着信であればまだ提示していない新規の着信の有無等）を検知する。状態通知音選択／生成部１０３が各種イベント検知部１０２より検知された状態情報の種別に応じて、準備された音声ファイルの中より任意のファイルを選択し、通知音を生成する。例えば、電池の残量の状態を通知したいとき、その検知された情報処理装置１００の状態種別「電池残量」対応する音声ファイルを選択する。エフェクト処理部１０４では、状態通知音選択／生成部１０３で生成された音声ファイルに対して、状態情報のステータスに応じたリバーブ、ディレイ、コーラス、３Ｄ、イコライザ、ピッチシフト、ディストーション等のエフェクトを付与する処理を行い、出力部１０５が通知音を出力する。
【００２５】
以上のように、情報処理装置１００の決定キー２０１が押下された時点で、情報処理装置１００の音により状態情報を報知する。例えば、情報処理装置１００の電池の残量が減れば、利用者がわざわざチェックしなくても、決定キーを操作した時点で、状態情報の種別「電池残量」を表す音に対して状態情報のステータス「電池残量  少」に応じたエフェクト処理の施された通知音によって確認することができる。これによって、各種機能の処理状態あるいは設定状態を音により報知する場合に、確実に利用者がその音を認識することができるタイミングで報知することができる。なお、状態情報の種別「電池残量」に対応する音声ファイルを、決定キーを操作した際に鳴るボタン確認音を表す音声ファイルと共通にしておけば、状態情報のステータス「電池残量  少」に応じたエフェクト処理の施されたボタン確認音によって情報処理装置１００の電池の残量を確認することができる。
【００２６】
ここの状態情報の種別としては、電池残量・電波受信状態などの状態検出情報や、不在時の電話着信の有無・未読の電子メールの有無などの履歴情報や、アラーム機能の有無・マナーモードのオンオフなどの機能設定情報や、発着信、再生、停止、検索、接続等の動作が行われた動作情報などが考えられる。
【００２７】
以下、情報処理装置１００の例として電話の発着信と、メールの送受信と、インターネットの接続と、音楽の再生などの機能を備える携帯端末を用いて、機能通知音、動作通知音にエフェクト処理を施すことによって状態通知音を表現する第１の実施形態と、機能通知音と、状態通知音と、動作通知音とをそれぞれ別々に処理してから合成し出力する第２の実施形態と、入力操作が増えた場合に、その入力操作毎に異なる報知音を割り当て出力する第３の実施形態と、を説明する。
【００２８】
これらの実施形態の説明に用いる通知音は、例えば、以下のものを例とする。
機能通知音：メール、Ｗｅｂ、アプリ、カメラ、ライブラリ等の各種アプリケーションプログラム一覧の中からある１つのアプリケーションプログラムを選択する際の、メニュー選択時に鳴る選択音
状態通知音：電池残量、受信状態、マナーモード等及び不在着信アリ、メール着信アリ、伝言アリ等の状況を表す時鳴る状況音
動作通知音：情報処理装置１００に備わる各種機能（例えば電話の発着信、楽曲データの再生・停止、ファイルの検索、インターネットへの接続等）を実行するために操作を行った時に、その操作を行ったことを装置利用者に確認させるために鳴る確定音
【００２９】
（第１の実施形態）
図３は、本発明の第１の実施形態の携帯端末の構成を示す図である。本発明の第１の実施形態の携帯端末は、機能通知音、動作通知音にエフェクト処理を施すことによって状態通知音を表現するものである。
図３において、携帯端末３００は、携帯端末３００の決定キーが押下されたことを検知する決定キー押下検知部３０１と、携帯端末３００のランチャーメニューを起動するランチャーメニュー起動部３０２と、利用者がスクロール機能を用いて選択を開始したことを検知するスクロール機能選択開始検知部３０３と、メニュー選択などの選択音を選択し生成する機能通知音選択／生成部３０４と、生成された機能通知音に対してエフェクト処理を行うエフェクト処理部３０５と、携帯端末３００の電池残量、電波状況、不在着信履歴、メール着信等を検知する各種イベント検知部３０６と、各種イベント検知部３０６より検知された状況に応じ、準備された音声ファイルの中より任意のファイルを選択し、通知音を生成する動作通知音選択／生成部３０７と、生成された動作通知音に対してエフェクト処理を行うエフェクト処理部３０８と、エフェクト処理部３０５からの処理された機能通知音とエフェクト処理部３０８からの処理された動作通知音に対してミキシング処理を行うミキシング処理部３０９と、ミキシング処理が行われた音を出力する出力部３１０と、を有する構成である。
【００３０】
以上のように構成された携帯端末３００について、図４に示すフローチャートを用いてその動作を説明する。
【００３１】
まず、決定キー押下検知部３０１が携帯端末３００の決定キーが押下されたかを検知し（ステップＳ４０１）、決定キーが押下されたことが検知できなかった場合、ステップＳ４０１を繰り返し実行し、決定キーの押下を待つ。
【００３２】
一方、ステップＳ４０１において、決定キーが押下されたと検知した場合に、決定キー押下検知部３０１が検知通知信号をランチャーメニュー起動部３０２及び各種イベント検知部３０６に出力し、ランチャーメニュー起動部３０２がその通知信号を受け取ると、ランチャーメニューを起動する（ステップＳ４０２）。
【００３３】
スクロール機能選択開始検知部３０３が利用者がスクロール機能を用いて選択を開始したことを検知し（ステップＳ４０３）、機能通知音選択／生成部３０４が選択されたランチャーメニューの各アプリケーションプログラムに応じた音声ファイルを選択し、機能通知音を選択（ステップＳ４０４）、ステップＳ４０５に進む。
【００３４】
一方、各種イベント検知部３０６が決定キー押下検知部３０１からの通知信号を受け取ると、各種イベントを検知し（ステップＳ４０６）、検知された各種イベントにおいて機能通知音に付加して通知すべき状態情報が含まれるかを判断する（ステップＳ４０７）。ここで、各種イベント検知部３０６が機能通知音に付加して通知すべき状態情報が含まれるか否かを判断する方法としては、例えば、検知した状態情報の種別が「電池残量」である場合には電池残量が全電池容量に対して所定の割合以下という状態情報のステータスであること、検知した状態情報の種別が「電波状況」である場合には受信電界強度が所定の数値以下という状態情報のステータスであること、検知した状態情報の種別が「不在着信履歴」、「メール着信」である場合にはまだ提示していない新規の着信の有りという状態情報のステータスであること、を条件として、機能通知音に付加して通知すべき状態情報が含まれると判断する。検知された各種イベントにおいて機能通知音に付加して通知する状態情報が含まれていると判断した場合、エフェクト処理部３０５に通知信号を送出する（ステップＳ４０８）。
【００３５】
エフェクト処理部３０５は、各種イベント検知部３０６からの通知信号を受け取った場合（ステップＳ４０５、Ｙ）、ステップＳ４０４で生成された機能通知音に対して、ステップＳ４０６の処理にて各種イベント検知部３０６が検知した状態情報のステータスに応じたエフェクト処理を行い（ステップＳ４０９）、ステップＳ４１０に進む。ここで、メニュー選択などの機能通知音に電波状況を表す状態通知音を加えるとき、電波状態が悪いと歪んだ音になるエフェクト処理を行い、程度に合わせたディストーション効果を加える。また、エフェクト処理部３０５は、各種イベント検知部３０６からの通知信号を受け取っていない場合（ステップＳ４０５、Ｎ）、機能通知音に対してエフェクト処理をせずにステップＳ４１０に進む。
【００３６】
一方、ステップＳ４０７において、検知された各種イベントにおいて機能通知音に付加して通知する状態情報が含まれていないと判断した場合（ステップＳ４０７、Ｎ）、動作通知音選択／生成部３０７は、情報処理装置１００に備わる各種機能を実行するための操作の有無を判断する（ステップＳ４１１）。動作通知音選択／生成部３０７は、ステップＳ４１１の処理において各種機能を実行するための操作有りと判断すれば（ステップＳ４１１、Ｙ）、その操作に応じた音声ファイルを選択し、動作通知音を生成する（ステップＳ４１２）。
【００３７】
エフェクト処理部３０８は、ステップＳ４１２で生成された動作通知音に対して、ステップＳ４０６の処理にて各種イベント検知部３０６が検知した状態情報のステータスに応じたエフェクト処理を行い（ステップＳ４１３）、ステップＳ４１０に進む。ステップＳ４１３の処理の一例としては、インターネットに接続する動作の確定音に電池の残量を表す状態通知音を加えるとき、電池が減ればピッチが下がるエフェクト処理を行う。
【００３８】
ミキシング処理部３０９がステップＳ４０９で処理された機能通知音とステップＳ４１３で処理された動作通知音とに対してミキシング処理を行い（ステップＳ４１０）、出力部３１０がその処理された信号を出力する（ステップＳ４１４）。
【００３９】
このような本発明の第１の実施形態の携帯端末によれば、状態通知音を機能通知音、動作通知音にエフェクト処理を施すことによって表現する。これによって、状態情報を報知するための専用の報知音を新たに出力する必要がなくても音により状態情報を報知することができる。また、機能通知音、動作通知音が報知されるときは携帯端末付近に利用者がいる可能性が高いことから、確実に状態情報を利用者が認識できるタイミングで状態情報を報知することができる。
【００４０】
（第２の実施形態）
図５は、本発明の第２の実施形態の携帯端末の構成を示す図である。本発明の第２の実施形態の携帯端末は、機能通知音と、状態通知音と、動作通知音とをそれぞれ別々に処理してから合成し出力するものである。
第２の実施形態の携帯端末５００は、図３に示す携帯端末３００の構成において、検知された状態に応じて準備されたファイルから通知音を選択し生成する状態通知音選択／生成部５０１と、状態通知音に対してエフェクト処理を行うエフェクト処理部５０２を用いたものである。なお、図３に示した携帯端末３００と同一の構成要素には、同一の符号を付してその説明を省略する。
【００４１】
図６は、携帯端末５００の動作を示すフローチャート図である。
図６において、決定キーが押下されたことを検知するから機能通知音を選択し生成するまでの動作、すなわちステップＳ４０１〜４０４、およびステップＳ４０６の動作は、図４に示した第１の実施形態と同じであるので説明を省略する。
【００４２】
各種イベント検知部３０６は、決定キー押下検知部３０１からの通知信号を受け取ると各種イベントを検知する（ステップＳ４０６）。ステップＳ４０４において機能通知音選択／生成部３０４が生成した機能通知音に対して、エフェクト処理部３０５がステップＳ４０６の処理にて各種イベント検知部３０６が検知した状態情報のステータスに応じたエフェクト処理を行い（ステップＳ６０１）、ステップＳ６０７に進む。ここで、メニュー選択などの機能通知音に電波状況を表す状態通知音を加えるとき、電波状態が悪いと歪んだ音になるエフェクト処理を行い、程度に合わせたディストーション効果を加える。
【００４３】
また、各種イベント検知部３０６が各種イベントを検知した後（ステップＳ４０６）、動作通知音選択／生成部３０７は、情報処理装置１００に備わる各種機能を実行するための操作を検知すると（ステップＳ６０２）、その操作に応じた音声ファイルを選択し、動作通知音を生成する（ステップＳ６０３）。さらに、エフェクト処理部３０８は、ステップＳ６０３で生成された動作通知音に対して、ステップＳ４０６の処理にて各種イベント検知部３０６が検知した状態情報のステータスに応じたエフェクト処理を行い（ステップＳ６０４）、ステップＳ６０７に進む。ステップＳ６０４の処理の一例としては、インターネットに接続する動作の確定音に電池の残量を表す状態通知音を加えるとき、電池が減ればピッチが下がるエフェクト処理を行う。
【００４４】
また、各種イベント検知部３０６が各種イベントを検知した後（ステップＳ４０６）、状態通知音選択／生成部５０１は、各種イベント検知部３０６より検知された状態情報の種別に応じた音声ファイルを選択し、状態通知音を生成する（ステップＳ６０５）。エフェクト処理部５０２は、ステップＳ６０５で生成された状態通知音に対して、ステップＳ４０６の処理にて各種イベント検知部３０６が検知した状態情報のステータスに応じたエフェクト処理を行い（ステップＳ６０６）、ステップＳ６０７に進む。
【００４５】
ミキシング処理部３０９は、ステップＳ６０１でエフェクト処理された機能通知音と、ステップＳ６０４でエフェクト処理された動作通知音と、ステップＳ６０６でエフェクト処理された状態通知音と、をミキシング処理し（ステップＳ６０７）、出力部３１０がそのミキシング処理された信号を出力する（ステップＳ６０８）。
【００４６】
ミキシング処理部３０９が機能通知音と状態通知音と動作通知音とを処理して出力する場合、いろいろな様態が考えられる。
【００４７】
図７は、各様態の通知音の出力様子を示す図である。
図７（ａ）に示す通知音は、機能通知音と状態通知音と動作通知音とを同時に出力する。これによって、利用者は短期間で状態情報を聴認することができる。
【００４８】
図７（ｂ）に示す通知音は、機能通知音と状態通知音と動作通知音とを別々に出力する。これによって、複数の状態情報に対応する報知音を一度に出力することができる。
【００４９】
図７（ｃ）〜（ｅ）示す通知音は、機能通知音と状態通知音と動作通知音のなかの二つの通知音を第１の鳴音として出力し、もう1つ通知音を第２の鳴音として出力する。例えば、図７（ｃ）において、状態通知音と動作通知音を第１の鳴音として出力し、機能通知音を第２の鳴音として出力する。これによって、利用者は第１の鳴音と第２の鳴音の識別が容易になる。
【００５０】
このような本発明の第２の実施形態の携帯端末によれば、機能通知音と、状態通知音と、動作通知音とをそれぞれ処理してから合成し出力する。これによって、利用者が耐えず、かつ確実に各状態を確認することができる。
【００５１】
（第３の実施形態）
本実施形態では、入力操作が増えた場合に、その入力操作毎に異なる報知音を割り当て出力する。ここで、スクロールキーで機能を選択するとき、初めに決定キー（待ちうけ、スリープ状態から復帰）を押下、あるいは決定キー押下の場合、選択された機能に対応する報知音を出力する。例えば、メール機能を選択した場合、メール機能が選択されたことを表す報知音を出力する。すなわち、第２の実施形態の携帯端末５００の機能通知音選択／生成部３０４が機能通知音を生成するとき、入力操作毎に異なる通知音を生成し出力する。これによって、何か機能操作を実行する際、自動的に端末の状況が確認できる。
【００５２】
なお、以上の説明では、決定キーが押下された時点で報知音により状態情報を報知する例について説明したが、本発明はこれに限定されたものではなく、ほかの特定動作を指定して、指定された特定動作が実行される時点で報知音により状態情報を報知してもよい。
また、本発明の操作部は装置本体の操作部に限定するものではなく、リモートコントローラの操作部に入力する場合にも適用され、リモートコントローラの操作キーが押下されると本体装置の状態情報が報知されるという構成であってもよい。
【産業上の利用可能性】
【００５３】
以上のように、本発明にかかる情報処理装置は、各種機能の処理状態あるいは設定状態を音により報知する場合に、確実に利用者がその音を認識することができるタイミングで報知することができるという効果を有し、電池残量・電波受信状態などの状態検出情報や、不在時の電話着信の有無・未読の電子メールの有無などの履歴情報や、アラーム機能の有無・マナーモードのオンオフなどの機能設定情報、などの状態情報を音により報知する携帯端末装置等として有用である。携帯端末装置本体にイヤホンを装着し、装置本体をカバンや衣服のポケットに入れたままのような場合であっても、装置本体の状態を把握したり、所望の機能についてブラインド操作をすることができる。
【図面の簡単な説明】
【００５４】
【図１】本発明の実施形態の情報処理装置の基本構成を示す図
【図２】情報処理装置の決定キーの例を示す図
【図３】本発明の第１の実施形態の携帯端末の構成を示す図
【図４】本発明の第１の実施形態の携帯端末の動作を説明するためのフローチャート図
【図５】本発明の第２の実施形態の携帯端末の構成を示す図
【図６】本発明の第２の実施形態の携帯端末の動作を説明するためのフローチャート図
【図７】各様態の通知音の出力様子を示す図
【符号の説明】
【００５５】
１００  情報処理装置
１０１、３０１  決定キー押下検知部
１０２、３０６  各種イベント検知部
１０３  状態通知音選択／生成部
１０４、３０５、３０８、５０２  エフェクト処理部
１０５、３１０  出力部
２０１  決定キー
３００、５００  携帯端末
３０２  ランチャーメニュー起動部
３０３  スクロール機能選択開始検知部
３０４  機能通知音選択／生成部
３０７  動作通知音選択／生成部
３０９  ミキシング処理部
５０１  状態通知音選択／生成部
【図１】
2007318653.tif 000003
【図２】
2007318653.tif 000004
【図３】
2007318653.tif 000005
【図４】
2007318653.tif 000006
【図５】
2007318653.tif 000007
【図６】
2007318653.tif 000008
【図７】
2007318653.tif 000009